(57)【要約】【課題】精米籠の上方に米ぬか逆流防止カバー、或いは精米機能付きカバー、或いは吸音機能付きカバーを設けることにより、精米籠の上方より下方に逆流してくる浮遊ぬかを米ぬか逆流防止カバー上面で捕捉蓄積したり、カバーの底面に凹凸を形成することにより、精米加工面積を増加し精米効率を向上したり、或いはカバーに吸音対策を施すことにより使用時の音を静音してなる精米器を提供することを目的にするものである。【解決手段】米と外蓋との間に精米時に舞い上がった米ぬかを受けて溜める米ぬか逆流防止カバー、或いは凹凸等を設けた精米機能付きカバー、或いは吸音機能付きカバーを設ける精米器。【選択図】        図１
2004237192.tif 000002
【特許請求の範囲】
【請求項１】
玄米を収容する金網等の多孔容器からなる精米籠と、該精米籠の上方に配置される外蓋と、前記精米籠内に配置される精米用羽根と、該精米用羽根を回転駆動させる駆動手段と、前記精米籠の下方に配置され、前記精米籠から排出される米ぬかを受け止めるぬか受けとを備えた精米器であって、前記玄米と前記外蓋との間に米発散防止壁を設けることを特徴とする精米器。
【請求項２】
前記米発散防止壁は、精米時に舞い上がった米ぬかを受けて溜める米ぬか逆流防止カバーであることを特徴とする請求項１記載の精米器。
【請求項３】
前記米ぬか逆流防止カバーの端部は、上方に屈曲していることを特徴とする請求項１、２記載の精米器。
【請求項４】
前記米ぬか逆流防止カバーの底面には、凹凸が形成されることを特徴とする請求項１ないし３記載の精米器。
【請求項５】
前記米ぬか逆流防止カバーは、非可動時には米との間に隙間が設けられており、可動時には米と接触することを特徴とする請求項１ないし４記載の精米器。
【請求項６】
前記米発散防止壁は、精米時に精米機能を有する精米機能付きカバーであることを特徴とする請求項１記載の精米器。
【請求項７】
前記精米機能付きカバーの底面には、凹凸が形成されることを特徴とする請求項６記載の精米器。
【請求項８】
前記精米機能付きカバーの底面には、メッシュ部材が貼付されることを特徴とする請求項６記載の精米器。
【請求項９】
前記精米機能付きカバーは、メッシュ製であることを特徴とする請求項６記載の精米器。
【請求項１０】
前記米発散防止壁は、精米時に吸音機能を有する吸音機能付きカバーであることを特徴とする請求項１記載の精米器。
【請求項１１】
前記吸音機能付きカバーは、ゴム製であることを特徴とする請求項１０記載の精米器。
【請求項１２】
前記吸音機能付きカバーの底面には、凹凸が形成されることを特徴とする請求項１０、１１記載の精米器。
【請求項１３】
前記吸音機能付きカバーの底面には、メッシュ部材が貼付されることを特徴とする請求項１０、１１記載の精米器。
【発明の詳細な説明】
【０００１】
【発明が属する技術分野】
本願発明は、精米器に関し、特に米と外蓋との間に設けられ、精米用羽根で削り取られ上方へ舞い上がったぬかが再度精米籠に戻されない米ぬか逆流防止機能、或いは精米機能、或いは吸音機能を持ったカバーに関するものである。
【０００２】
【従来の技術】
近年、家庭において精米を行い、精米したての米でご飯を炊くことにより、美味しいご飯を食べたいという家庭が増えてきており、かかる要求に答えるために、精米量の少ない家庭用精米器が数多く開発、且つ販売されている。
【０００３】
上記精米機として図１７に示すものが知られている。この精米器は、精米機本体ａ内にぬか受けｂを着脱自在に設け、このぬか受けｂ内に間隔をおいて精米籠ｃを着脱自在に設けるとともに、精米籠ｃ内に配置され、駆動手段であるモータｄにより水平回動する精米用羽根ｅを設けてなり、更に精米籠ｃの上方に外蓋ｆを設け、精米用羽根ｅをモータｄにより回転させ、精米籠ｃ内の玄米を撹拌して精米するものである。
【０００４】
そして上記した撹拌式精米器の場合、モータｄにより精米用羽根ｅが回転すると、精米籠ｃ内の玄米は精米用羽根ｅと同方向に回転するとともに、精米用羽根ｅにより上方に掻き上げられ、遠心力により外周側から中心側に循環し、この循環中における玄米と精米籠ｃの摩擦により、或いはその一部は玄米同士の摩擦により玄米の硬い外皮が削り取られ、更には米の表面のぬかが削り取られるという精米加工が行われることになる。
【０００５】
ところで上記した撹拌式精米器は、前述したように精米用羽根ｅが回転すると精米籠ｃ内の玄米は上方に掻き上げられ玄米と精米籠ｃの摩擦により、或いはその一部は玄米同士の摩擦により米の表面のぬかが削り取られることになるが、その一部は精米籠ｃの上部空間を浮遊し、再び米の上に落下し米に付着するという問題を引き起こしていた。この問題は、特に浮遊していたぬかがそのまま下に落ちるという精米用羽根ｅを停止した直後においても生じていた。
【０００６】
また、上記した撹拌式精米器では、精米加工は主として玄米と精米籠ｃの摩擦により行われることになるが、精米用羽根ｅの回転時、回転の勢いにより米が飛び散り、その結果精米籠ｃとの接触時間が短くなり、精米効率が低下させるという問題を引き起こしていた。それを補うため精米時間を長くするとこんどは摩擦熱が発生し、いわゆる味がまずくなる高温米になるという新たな弊害を引き起こすことになる。
【０００７】
更に前述したように、従来の撹拌式精米器では、精米加工は主として玄米と精米籠ｃの摩擦により行われるところ、その精米箇所は、精米籠ｃの側面部のみであり、その精米箇所の面積は十分とは言えず、精米効率も必ずしも高いとは言えなかった。
【０００８】
更に撹拌式精米器は、精米用羽根ｅを回転し玄米を攪拌し精米するものであり、どうしても音が発生し、例えば夜遅くとか、赤ん坊が寝ている時等には使いづらいという問題をも有していた。そしてこれらの課題をクリアーするものは従来なかった（例えば、特許文献１参照。）。
【０００９】
【特許文献１】
特開２００２−１６６１８４号公報
【発明が解決しようとする課題】
本願発明は、このような課題を解決するものであり、精米籠の上方に米ぬか逆流防止カバー、或いは精米機能付きカバー、或いは吸音機能付きカバーを設けることにより、精米籠の上方より下方に逆流してくる浮遊ぬかを米ぬか逆流防止カバー上面で捕捉蓄積したり、カバーの底面に凹凸を形成することにより、精米加工面積を増加し精米効率を向上したり、或いはカバーに吸音対策を施すことにより使用時の音を静音してなる精米器を提供することを目的にするものである。
【００１０】
【課題を解決するための手段】
上記目的を達成するため、本願発明は以下の構成を採用する。
【００１１】
請求項１に係る発明では、玄米を収容する金網等の多孔容器からなる精米籠と、該精米籠の上方に配置される外蓋と、前記精米籠内に配置される精米用羽根と、該精米用羽根を回転駆動させる駆動手段と、前記精米籠の下方に配置され、前記精米籠から排出される米ぬかを受け止めるぬか受けとを備えた精米器であって、前記玄米と前記外蓋との間に米発散防止壁を設ける構成。
【００１２】
そしてこのような構成により、精米籠の上部空間を浮遊するぬかは、米発散防止壁の上面に落ち捕捉されるとともに、その上面に溜められることになるため、再度米の上面に落下し付着することはなくなる。また、精米用羽根の回転時、米発散防止壁の底面により米の飛び散りを抑えることができるため、米と精米籠との接触時間が長くなり、精米効率が向上する。
【００１３】
請求項２に係る発明では、前記米発散防止壁は、精米時に舞い上がった米ぬかを受けて溜める米ぬか逆流防止カバーである構成。そしてこのような構成により、請求項１に係る発明の作用同様、精米籠の上部空間を浮遊するぬかは、米ぬか逆流防止カバーの上面に落ち捕捉されるとともに、その上面に溜められることになるため、再度米の上面に落下し付着することはなくなる。また、精米用羽根の回転時、米ぬか逆流防止カバーの底面により米の飛び散りを抑えることができるため、米と精米籠との接触時間が長くなり、精米効率が向上する。
【００１４】
請求項３に係る発明では、前記米ぬか逆流防止カバーの端部は、上方に屈曲している構成。そしてこのような構成により、請求項１、２に係る発明の作用に加え、米ぬか逆流防止カバーの上面に落下したぬかをその上面でより確実に捕捉し、且つ捕捉後に再度ぬかが上面よりこぼれ落ちることがなくなる。また、精米籠の側面より逆流してくるぬかを遮る。
【００１５】
請求項４に係る発明では、前記米ぬか逆流防止カバーの底面には、凹凸が形成される構成。そしてこのような構成により、請求項１ないし３に係る発明の作用に加え、その凹凸面でも精米加工が行われるため、精米加工面積が増大し精米効率がより向上する。
【００１６】
請求項５に係る発明では、前記米ぬか逆流防止カバーは、非可動時には米との間に隙間が設けられており、可動時には米と接触する構成。そしてこのような構成により、請求項１ないし４に係る発明の作用に加え、精米用羽根の回動開始時に米にその自重以外の力が加わっていないため、米の攪拌が滑らかになり、且つ、回動後では米が大きく飛び散ることがないため、精米効率がより向上する。
【００１７】
請求項６に係る発明では、前記米発散防止壁は、精米時に精米機能を有する精米機能付きカバーである構成。そしてこのような構成により、請求項１に係る発明の作用に加え、カバー自体でも精米が行われることになり、精米加工面積が増大し精米効率がより向上する。
【００１８】
請求項７に係る発明では、前記精米機能付きカバーの底面には、凹凸が形成される構成。そしてこのような構成により、請求項１に係る発明の作用に加え、凹凸面でも精米が行われることになり、精米加工面積が増大し精米効率がより向上する。
【００１９】
請求項８に係る発明では、前記精米機能付きカバーの底面には、メッシュ部材が貼付される構成。そしてこのような構成により、請求項１に係る発明の作用に加え、メッシュ部材でも精米が行われることになり、精米加工面積が増大し精米効率がより向上する。
【００２０】
請求項９に係る発明では、前記精米機能付きカバーは、メッシュ製である構成。そしてこのような構成により、請求項１に係る発明の作用に加え、メッシュ部材でも精米が行われることになり、精米加工面積が増大し精米効率がより向上する。また、カバーと精米機能部材は一体のため簡単に形成できる。
【００２１】
請求項１０に係る発明では、前記米発散防止壁は、精米時に吸音機能を有する吸音機能付きカバーである構成。そしてこのような構成により、請求項１に係る発明の作用に加え、使用時の音が静音され、外部への漏れ音が低減される。
【００２２】
請求項１１に係る発明では、前記吸音機能付きカバーは、ゴム製である構成。そしてこのような構成により、請求項１に係る発明の作用に加え、使用時の音が静音され、外部への漏れ音が低減される。また、カバーと吸音機能部材は一体のため簡単に形成できる。
【００２３】
請求項１２に係る発明では、前記吸音機能付きカバーの底面には、凹凸が形成される構成。そしてこのような構成により、請求項１、１０、１１に係る発明の作用に加え、凹凸面でも精米が行われることになり、精米加工面積が増大し精米効率がより向上する。
【００２４】
請求項１３に係る発明では、前記吸音機能付きカバーの底面には、メッシュ部材が貼付される構成。そしてこのような構成により、請求項１、１０、１１に係る発明の作用に加え、メッシュ部材でも精米が行われることになり、精米加工面積が増大し精米効率がより向上する。
【００２５】
【発明の実施の形態】
（第１の実施の形態）
図１乃至図５は第１の実施の形態の精米器であり、その米発散防止壁は、米ぬか逆流防止カバーを示す。図１は精米器の個々の部材を概略的に示す断面図、図２は米ぬか逆流防止カバーの平面図、図３は同カバーの断面図、図４は同カバーの底面図、図５は図４のＡ−Ａ断面図である。
【００２６】
精米器は、樹脂製の精米器本体１によりその外郭が形成される。該精米器本体１は、肩部分及び上面部分を形成する上部ケース２、底部分を形成する下部ケース３及び胴部分を形成する胴部ケース４とからなる。前記上部ケース２には、後述する精米籠７等からなる精米部Ａと、後述するモータ１６等からなる駆動部Ｂとを区画する有底円筒形状の内装ケース５が一体に形成されている。また、下部ケース３には支持脚３ａが一体に形成され、前記上部ケース２、下部ケース３及び胴部ケース４は、ビス止め等の手段でそれぞれ一体的に取り付けられる。
【００２７】
前記内装ケース５は、精米器本体１内の一方寄りに配置される有底円筒形の部材であり、その底部には精米部Ａと駆動部Ｂとを連結可能にするための開口５ａが形成されている。
【００２８】
そして該内装ケース５の内側には、ぬか受け容器６が着脱自在に配設される。該ぬか受け容器６は、樹脂製の部材で、上方を開口してなる有底円筒形状を呈し、その底部には内側に突き出た中空状の筒状突出部６ａが形成されている。そして前記内装ケース５内に収納された状態では、図１に示すようにその底面は内装ケース５の内底面に載置され、且つその上端部は内装ケース５の上端部より下方になる形態とされる。
【００２９】
ぬか受け容器６が内装ケース５内に配設された状態で、該ぬか受け容器６内には更に精米籠７が着脱自在に配設される。精米籠７は、その上端部の外向き鍔部７ａ、上面から下面に亘って形成される金網部７ｂ及びその底面部の金属円板部７ｃからなる。
【００３０】
前記外向き鍔部７ａは、リング状の金属部材で、精米籠７がぬか受け容器６内に収納された時には、該ぬか受け容器６の上端部に懸架される。また、前記金網部７ｂは、精米後のお米が通過し得ない程度の孔径を有するものとされ、その中央部には段部７ｄが形成され、その全体は異形筒状体として形成されている。
【００３１】
前記金属円板部７ｃは、その外周部で金網部７ｂと一体的に取り付けられており、その下面には軸受けカバー８が固定される。また、この軸受けカバー８内には、点線で示す回転軸９が上下方向に延伸する形態で取り付けられており、その上方の上部軸９ａは断面正六角形として形成されるとともに、その下方の下部軸９ｂの下端には駆動部Ｂからの駆動力を受けるための従動側クラッチ１０が取り付けられる。そして前記回転軸９は、金属円板部７ｃに回動自在に取り付けられる。
【００３２】
この精米籠７を前記ぬか受け容器６内に収納した時には、前記金属円板部７ｃがぬか受け容器６の底面に形成される内側に突き出た中空状の筒状突出部６ａの上端部に載置する形態で取り付けられ、取り付け時には、金属円板部７ｃの底部に取り付けられる軸受けカバー８は、前記筒状突出部６ａ内に挿入され精米籠７の横揺れを防止する。
【００３３】
前記精米籠７内には、精米用羽根１１が回転自在に配設される。該精米用羽根１１は、樹脂製の回転体１２と羽根１３とからなる。樹脂製の回転体１２は、上方から下方に延びる垂直部１２ａ、該垂直部１２ａの下方に連続する湾曲部１２ｂ、該湾曲部１２ｂの下方から水平に連続する鍔部１２ｃ及び該鍔部１２ｃの底部から下方に延びる円筒部１２ｄからなり、その中心軸方向には、下方から上方に延びる断面正六角形の円筒溝１２ｅが穿設されている。
【００３４】
そして、前記鍔部１２ｃは、略円錐形状を呈し、精米時に玄米Ｒを外周側へ誘導するように作用する。また、前記断面正六角形の円筒溝１２ｅは、回転軸９の断面正六角形の上部軸９ａよりは若干大きくされ、この上部軸９ａの上方より回転体１２の円筒溝１２ｅを嵌合し、回転軸９と回転体１２とを結合させる。すると円筒溝１２ｅと上部軸９ａとはともに断面正六角形であるため、回転軸９に回転体１２を嵌合させるだけで回転軸９の回動に連動して回転体１２を回動自在にすることができる。
【００３５】
前記回転体１２の円筒部１２ｄの外周には、１８０°の間隔で一対の羽根１３、１３が取り付けられている。この前記一対の羽根１３、１３は、回転方向前方側から後方側に向かって漸次上方に傾斜させられており、回動時、玄米Ｒを掻き上げ、玄米Ｒと精米籠７の金網部７ｂ及び玄米Ｒどおしの接触を効率的に行い玄米Ｒを精米する。
【００３６】
また、精米籠７を前記ぬか受け容器６内に収納した後、精米籠７の上面に外蓋１４が取り付けられる。この外蓋１４は透明の樹脂製で、図示しないが、上部ケース２の上端部に形成される水平方向の溝に対して突起を水平方向に回動することにより係合させる所謂ヘリコイド係合によって両者の着脱が行われる。
【００３７】
前記駆動部Ｂについて説明する。前記精米器本体１内の下方には水平方向に支持台１５が配設される。そしてこの支持台１５には、前記精米用羽根１１を回動させる駆動手段としてのモータ１６、並びに後記の駆動側クラッチ１７を取り付けている回転軸１８を軸支してなる図示しない軸受けを覆う軸受けカバー１９が取り付けられる。
【００３８】
前記モータ１６下面には、小径の駆動側プーリ２０及びモータ冷却用羽根車２１が取り付けられており、モータ１６の回動時には、駆動側プーリ２０及びモータ冷却用羽根車２１がともに回動し、下部ケース３の下部に一体に形成される支持脚３ａに開口した空気吸い込み孔２４より空気を吸入し、モータ１６等を冷却する。
【００３９】
また、前記内装ケース５の底面に形成される開口５ａに対向して前記軸受けカバー１９が取り付けられるとともに、該軸受けカバー１９内の図示しない軸受けには上下方向に回転軸１８が回動自在に軸支される。この回転軸１８の下端部には、大径の従動側プーリ２２が取り付けられ、且つその上端部には、前記回転軸９の下端部に取り付けられる従動側クラッチ１０に噛合可能な駆動側クラッチ１７が取り付けられている。
【００４０】
そして前記駆動側プーリ２０と従動側プーリ２２との間にはベルト２３が架け渡されており、モータ１６の回転を駆動側プーリ２０及び従動側プーリ２２を介し、減速して回転軸１８に伝え、更に回転軸１８の回転は、駆動側クラッチ１７及び従動側クラッチ１０を介して精米用羽根１１に伝達されることになる。
【００４１】
ところで、精米を行うと、米ぬかが発生するが、該米ぬかは、精米籠７の網目から遠心力により遠心方向に排出され、ぬか受け容器６の内底部に溜まることになるが、その一部は精米籠７の上部空間に浮遊し、再度米に付着する。このような弊害を防止するため、符号３０で示す米ぬか逆流防止カバーを精米用羽根１１の上方に取り付けている。
【００４２】
米ぬか逆流防止カバー３０は、図２にその平面図を、図３にその断面図を、図４にその底面図を、更に図５に図４のＡ−Ａ線断面図を示す。この米ぬか逆流防止カバー３０は、樹脂製で、中央部のボス部３０ａ、該ボス部３０ａから外周に広がる傾斜円板部３０ｂ及び該傾斜円板部３０ｂの外周端に立設される上方屈曲部３０ｃを有し、それらは一体成形される。
【００４３】
前記ボス部３０ａは、中空状の円筒形状からなり、その中央部に前記回転体１２の垂直部１２ａの外径より若干大きい内径を有する中空孔３３が設けられている。また、前記傾斜円板部３０ｂは、その中央部が前記ボス部３０ａの最下端外周部に連結され、且つその連結部から外周方向へ向かって高くなるように傾斜した逆円錐形状に形成されている。
【００４４】
前記傾斜円板部３０ｂの外周端には、上方屈曲部３０ｃが立設する形態で形成されるとともに、該上方屈曲部３０ｃの上端外周部には更に水平環状部３１が外周方向へ延伸する形態で形成されている。
【００４５】
そして、米ぬか逆流防止カバー３０の上方の面になる上面３４には、放射方向に等間隔で４本の補強用リブ３２が形成されるとともに、この上面３４にボス部３０ａと、傾斜円板部３０ｂと、上方屈曲部３０ｃと、補強用リブ３２とでぬかを溜めるための貯留空間３６を形成している。前記傾斜円板部３０ｂは、このように略皿形状からなり、貯留空間３６内に落下したぬかは、上方屈曲部３０ｃにより再度精米籠７内に落ちることが防止されるとともに、上面３４がその中央部に向かって傾斜しているため、貯留空間３６内に落下したぬかは更にその中央部に集められるようになる。また、前記上方屈曲部３０ｃにより精米籠７の側面より逆流してくるぬかを遮ることができる。
【００４６】
前記水平環状部３１は、外周方向へ水平に伸ばされるリング状の部分であり、その外周先端部と精米籠７の段部７ｄ上方の最大径の内面との間は、米粒が入り込まないようにできるだけ狭く、例えば２ｍｍ程度になるように調節される。
【００４７】
そしてこのような形状からなる米ぬか逆流防止カバー３０は、ボス部３０ａに形成される円形の中空孔３３をそれより若干小さい外径を有する回転体１２の垂直部１２ａに嵌合する。回転体１２の垂直部１２ａに嵌合した米ぬか逆流防止カバー３０は、回転体１２の回転に連れ回ることなく自由な状態にあるとともに、両者間の隙間は若干であるため米ぬか逆流防止カバー３０が横に移動し、振動の原因となることはない。
【００４８】
また、米ぬか逆流防止カバー３０を回転体１２の垂直部１２ａに嵌合した場合、玄米Ｒが入れられていなかったりその量が少なかった場合には、図１に示すように回転体１２の湾曲部１２ｂの上端で停止され、それ以上下がることはない。なお、その位置は、例えば、湾曲部１２ｂの上端の高さを下げれば米ぬか逆流防止カバー３０を更に下方まで下げることができ、その場合、精米籠７の段部７ｄで載置することもできる。
【００４９】
そして、精米籠７に入れる玄米Ｒの量が少ない時には、米ぬか逆流防止カバー３０は玄米Ｒの上面より上方に位置し、精米籠７に入れる玄米Ｒの量が多い時には、米ぬか逆流防止カバー３０は玄米Ｒの上面に載置されることになる。
【００５０】
即ち、米ぬか逆流防止カバー３０を玄米Ｒの量に応じて上下動の移動が可能なため、玄米Ｒの量に関わらず常に玄米Ｒの上部から適切な応力を加えて精米することができる。このように米ぬか逆流防止カバー３０は、精米時上下動可能とされるが、上動時に精米籠７と接触しないようにされるとともに、最上動時に外蓋１４とも接触しないようにされ、更に最下動時に羽根１３とも接触しないようにされている。
【００５１】
また、米ぬか逆流防止カバー３０の底面３５は、上面３４と同様に中央から外周方向へ高くなるように傾斜するとともに、図４及び図５に示すように、断面三角形状の多数の凹凸部３７が形成されている。
【００５２】
前記精米用羽根１１により精米籠７内で回転する玄米Ｒは、遠心力により精米籠７の中央部より外周部の方が高い位置まで上昇しながら回転するため、米ぬか逆流防止カバー３０の底面３５を中央から外周方向へ高くなるように傾斜させ、米粒の上昇する高さに合わせることにより、玄米Ｒ全体に均等に圧力を加えることができる。
【００５３】
更に、米ぬか逆流防止カバー３０の底面３５に多数の凹凸部３７を形成することにより、この凹凸部３７においても精米が行われるためそれだけ精米が行われる面積が増大することになり、精米時間が短縮され、且つ精米時間が短縮された分、米の温度上昇が抑えられる。
【００５４】
作用について説明する。精米籠７に収容された玄米Ｒは、精米用羽根１１の回転により撹拌され、上方に飛び散る。精米用羽根１１の上方には米ぬか逆流防止カバー３０が取り付けられており、上方に飛び散った玄米Ｒは精米籠７及び米ぬか逆流防止カバー３０の底面３５に衝突する。そして該米ぬか逆流防止カバー３０を上動させるとともに、その反作用として米ぬか逆流防止カバー３０は米粒に対して所定の圧力を加える。この場合、米ぬか逆流防止カバー３０の傾斜円板部３０ｂは外周方向に向かって高くなるように傾斜しているため、前述したように上方に飛び散った全ての玄米Ｒに対して均等に力を付与するため、全ての玄米Ｒに対して均等に精米が行われる。従って、ぬか臭くない良質の米が得られる。
【００５５】
また、精米時に多量のぬかが米粒から削り取られ、その多くはぬか受け容器６に落下し、一部は浮遊して米ぬか逆流防止カバー３０の上方から玄米Ｒ方向に逆流しようとするが、米ぬか逆流防止カバー３０の上面３４の貯留空間３６で捕捉され溜められることになるため、玄米Ｒに再度ぬかが付着することはなくなる。
【００５６】
更に、米ぬか逆流防止カバー３０の底面３５には断面三角形状の凹凸部３７が形成されているため、飛び散った玄米Ｒはこの凹凸部３７に衝突して精米が行われる。そのため、精米が行われる面積が増大し、その結果、精米時間が短縮される。
【００５７】
本実施の形態においては、外蓋１４を取り外した状態においては、米ぬか逆流防止カバー３０、精米用羽根１１、精米籠７及びぬか受け容器６が精米器本体１から取り外し可能となっているので、手入れが簡単且つ容易にできる。
【００５８】
なお、この実施の形態のものは、米ぬか逆流防止カバー３０の下面に凹凸部３７を形成しているものを説明したが、凹凸部３７がないものでも良い。
【００５９】
（第２の実施の形態）
図６は第２の実施の形態の精米器であり、その米発散防止壁は、米ぬか逆流防止カバーを示す。この実施の形態のものは、米ぬか逆流防止カバー３０を回転体１２とともに回転自在にするものである。なお、第１の実施の形態のものと同じものは同じ符号で示す。それらの詳細な説明については省略し、特徴のある箇所について以下に説明する。
【００６０】
精米籠７内に配設される精米用羽根１１は、第１の実施の形態のものと同様に、樹脂製の回転体１２と羽根１３とからなるとともに、その回転体１２は、上方から下方に延びる垂直部１２ａ、該垂直部１２ａの下方に連続する湾曲部１２ｂ、該湾曲部１２ｂの下方から水平に連続する鍔部１２ｃ及び該鍔部１２ｃの底部から下方に延びる円筒部１２ｄを有し、その中心軸方向には、下方から上方に延びる断面正六角形の円筒溝１２ｅが穿設されている。そしてこの実施の形態のものでは、回転体１２の垂直部１２ａの外周面は正六角形状に形成されている。
【００６１】
また、米ぬか逆流防止カバー３０も第１の実施の形態のものと同様に、樹脂製で、中央部のボス部３０ａ、該ボス部３０ａから外周に広がる傾斜円板部３０ｂ及び該傾斜円板部３０ｂの外周端に立設される上方屈曲部３０ｃを有し、それらは一体成形されている。
【００６２】
そして、この実施の形態の米ぬか逆流防止カバー３０は、図６に示すようにボス部３０ａの中央部に形成される中空孔４０を正六角形状にするものである。この正六角形の中空孔４０の大きさは、前記回転体１２の垂直部１２ａの外周面に形成される正六角形状より若干大きくされている。
【００６３】
このような形態により、回転体１２の垂直部１２ａの外周上に米ぬか逆流防止カバー３０の中空孔４０を嵌合した後においては、米ぬか逆流防止カバー３０は回転体１２に対し、上下動自在で、且つ、供回りが可能にされる。即ち、精米時、回転体１２の回動に連動して回転し、且つ、玄米Ｒの飛び散りに応じて上昇し、玄米Ｒに対して所定の圧力を付加することになる。
【００６４】
更に、米ぬか逆流防止カバー３０が回動するということは、米ぬか逆流防止カバー３０の底面３５に形成される凹凸部３７も共に回転することになり、凹凸部３７が回転することによりより積極的に精米が行われる。その結果、米ぬか逆流防止カバー３０が回転しないものに比べ、その精米効率が格段に向上する。
【００６５】
（第３の実施の形態）
図７は第３の実施の形態の精米器であり、その米発散防止壁は、米ぬか逆流防止カバーを示す。この実施の形態のものは、米ぬか逆流防止カバー３０に蒸気逃がし孔４１を設けるものである。なお、第１の実施の形態のものと同じものは同じ符号で示す。それらの詳細な説明については省略し、特徴のある箇所について以下に説明する。
【００６６】
米ぬか逆流防止カバー３０以外の構成は、第１の実施の形態のものと同じあるため省略する。米ぬか逆流防止カバー３０も第１の実施の形態のものと同様に、樹脂製で、中央部のボス部３０ａ、該ボス部３０ａから外周に広がる傾斜円板部３０ｂ及び該傾斜円板部３０ｂの外周端に立設される上方屈曲部３０ｃを有し、それらは一体成形されている。
【００６７】
そしてこの実施の形態のものの特徴は、図７に示すように、米ぬか逆流防止カバー３０の上面３４から底面３５に貫通する複数個の蒸気逃がし孔４１を設けた点である。該蒸気逃がし孔４１は、米ぬか逆流防止カバー３０に、その上面３４から底面３５にかけて貫通するとともに、上面３４より底面３５の方が径が大きい逆テーパ状の孔である。
【００６８】
通常精米部Ａで攪拌作用が行われると熱が発生し、その熱により水蒸気が発生する。そしてその水蒸気は米ぬか逆流防止カバー３０の底面３５で結露することになるが、このような蒸気逃がし孔４１を設けることにより、底面３５での結露を防止することができる。即ち、上面３４の孔を小さくすることによりぬかが落ちにくくなるとともに、底面３５の孔を大きくすることにより蒸気の排出を良好にすることができる。
【００６９】
（第４の実施の形態）
図８は第４の実施の形態の精米器であり、その米発散防止壁は、米ぬか逆流防止カバーを示す。この実施の形態のものは、米ぬか逆流防止カバー３０に米粒落とし孔４２を設けるものである。なお、第１の実施の形態のものと同じものは同じ符号で示す。それらの詳細な説明については省略し、特徴のある箇所について以下に説明する。
【００７０】
米ぬか逆流防止カバー３０以外の構成は、第１の実施の形態のものと同じあるため省略する。米ぬか逆流防止カバー３０も第１の実施の形態のものと同様に、樹脂製で、中央部のボス部３０ａ、該ボス部３０ａから外周に広がる傾斜円板部３０ｂ及び該傾斜円板部３０ｂの外周端に立設される上方屈曲部３０ｃを有し、それらは一体成形されている。
【００７１】
そしてこの実施の形態のものの特徴は、図８に示すように、米ぬか逆流防止カバー３０の傾斜円板部３０ｂの最下方部、即ちボス部３０ａとの連結部近傍に上面３４から底面３５に貫通し、米粒より若干大きい米粒落とし孔４２を複数個設けたことである。このような米粒落とし孔４２を設けることにより、仮に貯留空間３６に米粒が飛び込んだとしてもその米粒は、傾斜円板部３０ｂの上面３４を転がって自動的に精米籠７内に戻る。この場合若干のぬかも一緒に精米籠７内に戻されるが、大部分のぬかは貯留空間３６に溜められるため格別問題はない。
【００７２】
（第５の実施の形態）
図９は第５の実施の形態の精米器であり、その米発散防止壁は、米ぬか逆流防止カバーを示す。この実施の形態のものは、米ぬか逆流防止カバー３０を外蓋１４と一体に設けるものである。なお、第１の実施の形態のものと同じものは同じ符号で示す。それらの詳細な説明については省略し、特徴のある箇所について以下に説明する。
【００７３】
米ぬか逆流防止カバー３０は、第１の実施の形態のものと同様に、樹脂製で、中央部のボス部３０ａ、該ボス部３０ａから外周に広がる傾斜円板部３０ｂ及び該傾斜円板部３０ｂの外周端に立設される上方屈曲部３０ｃを有し、それらは一体成形されている。
【００７４】
そしてこの実施の形態のものでは、米ぬか逆流防止カバー３０のボス部３０ａは上方に長く延ばされ、且つその外周には外ネジ３０ｄが形成されてなる。また、該ボス部３０ａの先端には、ビス３０ｆにより指で持って回動するためのつまみ３０ｅが取り付けられる。
【００７５】
外蓋１４のほぼ中央には、その内周面にネジが形成されてなるネジ孔１４ａが穿設されているとともに、該ネジ孔１４ａネジのピッチは、ボス部３０ａの外周に形成される外ネジ３０ｄのものと同じにされる。
【００７６】
組み付けは、まず逆流防止カバー３０を外蓋１４のネジ孔１４ａに螺合し両者を一体状態にする。その後外蓋１４を上部ケース２にヘリコイド係合する。すると図９に示すように米ぬか逆流防止カバー３０のボス部３０ａの先端は所定長さ外蓋１４の外方に飛び出た状態になっているため、その状態でつまみ３０ｅを回動することにより米ぬか逆流防止カバー３０を上下動することができる。
【００７７】
即ち、外蓋１４を上部ケース２にセットするという作業で米ぬか逆流防止カバー３０をもセットすることができるため、米ぬか逆流防止カバー３０をセットする手間を省くことができる。また、セット後、玄米Ｒの量に応じて米ぬか逆流防止カバー３０の高さを可変することができ、例えば、玄米Ｒの量が少ない時には、玄米Ｒとの間隔を狭くして玄米Ｒが大きく飛び散ることを抑止し、玄米Ｒの量が多い時には、玄米Ｒとの間隔を広くして全玄米Ｒの飛び散りを促すことにより、どのような精米時においても精米効率を向上することができる。
【００７８】
なお、この実施の形態のものでは、米ぬか逆流防止カバー３０のボス部３０ａ及び外蓋１４のネジ孔１４ａにそれぞれネジを設けたものとして説明したが、両者間にネジを設けず、米ぬか逆流防止カバー３０が外蓋１４に対して自由に上下動可能なものであっても良い。
【００７９】
更に、米ぬか逆流防止カバー３０のボス部３０ａ及び外蓋１４のネジ孔１４ａにそれぞれネジを設けるものに変え、回転体１２の垂直部１２ａに上下方向にストッパとしてのピン等を差し込み自在にし、そのピンの上部に米ぬか逆流防止カバー３０の底面３５を当接させるようにすることによってもその高さを調節することができる。
【００８０】
（第６の実施の形態）
図１０は第６の実施の形態の精米器であり、その米発散防止壁は、精米機能付きカバーを示す。また、この実施の形態のものは、精米籠７に水平な段部７ｄを設け、該段部７ｄに精米機能付きカバー５０を載置するものである。なお、第１の実施の形態のものと同じものは同じ符号で示す。それらの詳細な説明については省略し、特徴のある箇所について以下に説明する。
【００８１】
精米籠７は、その上端部の外向き鍔部７ａ、上面から下面に亘って形成される金網部７ｂ及びその底面部の金属円板部７ｃからなり、その金網部７ｂのほぼ中間部に水平な段部７ｄが形成されている。ぬか受け容器６への載置等は第１の実施の形態のものと同じである。
【００８２】
精米機能付きカバー５０は、樹脂製で、中央部のボス部５０ａ、該ボス部５０ａから外周に水平に広がる円板部５０ｂ、更には円板部５０ｂの下面に精米効率を向上させるための凹凸部５０ｃが一体成形されている。
【００８３】
この凹凸部５０ｃは、図４及び図５に示すものと同様なものであり、その精米機能付きカバー５０の底面には、図４及び図５に示すように、断面三角形状の多数の凹凸部５０ｃが形成されている。
【００８４】
そして、精米機能付きカバー５０の底面に多数の凹凸部５０ｃを形成することにより、飛び散った玄米Ｒはこの断面三角形状の凹凸部５０ｃに衝突して精米が行われるため、それだけ精米が行われる面積が増大し精米時間が短縮され、且つ精米時間が短縮された分、米の温度上昇が抑えられる。
【００８５】
なお、精米機能付きカバー５０の底面の多数の凹凸部５０ｃは、断面三角形状のものだけではなく精米機能を有するものであればどのような形状のものでも良い。また、多数の凹凸部５０ｃを形成する代わりに、ブラシ等を設けるものでも良い。
【００８６】
そしてこの実施の形態の特徴は、図に示すように、精米機能付きカバー５０の円板部５０ｂの外周下端部を精米籠７の水平な段部７ｄに載置して用いるものである。その結果、このような形態により玄米Ｒと間隔を置いて精米機能付きカバー５０が配置され、精米用羽根１１の回動開始時には玄米Ｒの攪拌を滑らかにすることができ、回動後では玄米Ｒが大きく飛び散ることが防止できる。また、円板部５０ｂの下面の凹凸部５０ｃによっても精米が行われるため、精米効率を向上させることができるとともに、精米機能付きカバー５０を用いることにより外部への音の漏れを低減することができ、更には、米ぬかのまい上がりを防止することができる。
【００８７】
（第７の実施の形態）
図１１は第７の実施の形態の精米器であり、その米発散防止壁は、精米機能付きカバーを示す。また、この実施の形態のものは、第６の実施の形態のものと同様、精米機能付きカバー５０を精米籠７の水平な段部７ｄに載置するとともに、その精米機能付きカバー５０を第１の実施の形態乃至第５の実施の形態のものとほぼ同じ形態のものを用いるものである。なお、それらの詳細な説明については省略し、特徴のある箇所について以下に説明する。
【００８８】
精米籠７は、その上端部の外向き鍔部７ａ、上面から下面に亘って形成される金網部７ｂ及びその底面部の金属円板部７ｃからなり、その金網部７ｂのほぼ中間部に水平な段部７ｄが形成されている。ぬか受け容器６への載置等は第１の実施の形態のものと同じである。
【００８９】
精米機能付きカバー５０は、樹脂製で、中央部のボス部５０ａ、該ボス部５０ａから外周に向かって高くなる傾斜円板部５０ｂ、該傾斜円板部５０ｂ外周端部に形成される水平部５０ｄ、更には円板部５０ｂの下面に精米効率を向上させるための凹凸部５０ｃが一体成形されている。
【００９０】
この凹凸部５０ｃは、図４及び図５に示すものと同様なものであり、その精米機能付きカバー５０の底面には、図４及び図５に示すように、断面三角形状の多数の凹凸部５０ｃが形成されている。
【００９１】
そして、精米機能付きカバー５０の底面に多数の凹凸部５０ｃを形成することにより、飛び散った玄米Ｒはこの断面三角形状の凹凸部５０ｃに衝突して精米が行われるため、それだけ精米が行われる面積が増大し精米時間が短縮され、且つ精米時間が短縮された分、米の温度上昇が抑えられる。
【００９２】
そしてこの実施の形態の特徴は、図に示すように、精米機能付きカバー５０の傾斜円板部５０ｂの外周端部に形成される水平部５０ｄを精米籠７の水平な段部７ｄに載置して用いるものである。その結果、このような形態により玄米Ｒと間隔を置いて精米機能付きカバー５０が配置され、精米用羽根１１の回動開始時には玄米Ｒの攪拌を滑らかにすることができ、回動後では玄米Ｒが大きく飛び散ることが防止できる。また、玄米Ｒ全体に均一に力を付与することができるため、精米効率を向上させることができるとともに、精米機能付きカバー５０を用いることにより外部への音の漏れを低減することができ、更には、米ぬかのまい上がりを防止することができる。
【００９３】
（第８の実施の形態）
図１２は第８の実施の形態の精米器であり、その米発散防止壁は、精米機能付きカバーを示す。また、この実施の形態のものは、精米籠７に水平な段部７ｄを設け、該段部７ｄにメッシュ状の精米機能付きカバー６０を載置するものである。なお、第１の実施の形態のものと同じものは同じ符号で示す。それらの詳細な説明については省略し、特徴のある箇所について以下に説明する。
【００９４】
精米籠７は、その上端部の外向き鍔部７ａ、上面から下面に亘って形成される金網部７ｂ及びその底面部の金属円板部７ｃからなり、その金網部７ｂのほぼ中間部に水平な段部７ｄが形成されている。ぬか受け容器６への載置等は第１の実施の形態のものと同じである。
【００９５】
精米機能付きカバー６０は、金属メッシュから形成され、中央部のボス部６０ａ、該ボス部６０ａから外周に水平に広がる円板部６０ｂからなりそれらは一体成形されている。
【００９６】
精米機能付きカバー６０により、飛び散った玄米Ｒはこの精米機能付きカバー６０に衝突して精米が行われるため、それだけ精米が行われる面積が増大し精米時間が短縮され、且つ精米時間が短縮された分、米の温度上昇が抑えられる。
【００９７】
そしてこの実施の形態の特徴は、図に示すように、精米機能付きカバー６０の円板部６０ｂの外周下端部を精米籠７の水平な段部７ｄに載置して用いるものである。その結果、このような形態により玄米Ｒと間隔を置いて精米機能付きカバー６０が配置され、精米用羽根１１の回動開始時には米の攪拌を滑らかにすることができ、回動後では玄米Ｒが大きく飛び散ることが防止できる。また、金属メッシュから形成される円板部６０ｂの下面全体でも精米が行われるため、精米効率を向上させることができる。
【００９８】
（第９の実施の形態）
図１３は第９の実施の形態の精米器であり、その米発散防止壁は、吸音機能付きカバーを示す。また、この実施の形態のものは、精米籠７に水平な段部７ｄを設け、該段部７ｄに吸音機能付きカバー７０を載置するとともに、吸音機能付きカバー７０をゴム等の吸音板で形成し、この吸音板の下面に金属メッシュを貼付するものである。なお、第１の実施の形態のものと同じものは同じ符号で示す。それらの詳細な説明については省略し、特徴のある箇所について以下に説明する。
【００９９】
精米籠７は、その上端部の外向き鍔部７ａ、上面から下面に亘って形成される金網部７ｂ及びその底面部の金属円板部７ｃからなり、その金網部７ｂのほぼ中間部に水平な段部７ｄが形成されている。ぬか受け容器６への載置等は第１の実施の形態のものと同じである。
【０１００】
吸音機能付きカバー７０は、吸音機能を有するゴム等の部材からなり、中央部のボス部７０ａ、該ボス部７０ａから外周に水平に広がる円板部７０ｂを有し、それらは一体成形されている。更に、円板部７０ｂの下面には精米効率を向上させるための金属メッシュ７１が貼付されている。
【０１０１】
ところで、精米部Ａでは羽根１３により玄米Ｒが攪拌され、飛び散った玄米Ｒは精米籠７等に衝突するためどうしても音が発生し、その音は、外蓋１４を通して外部に放出されるところ、その精米部Ａの上方には吸音機能付きカバー７０が配設されるため、音が外部に放出される量が低減される。即ち、吸音機能付きカバー７０を配設することにより精米音を低減することができる。
【０１０２】
そしてこの実施の形態の特徴は、図に示すように、吸音機能付きカバー７０の円板部７０ｂの外周下端部を精米籠７の水平な段部７ｄに載置して用いるものである。その結果、このような形態により玄米Ｒと間隔を置いて吸音機能付きカバー７０が配置され、精米用羽根１１の回動開始時には米の攪拌を滑らかにすることができ、回動後では玄米Ｒが大きく飛び散ることが防止できる。そして円板部７０ｂの下面に貼付される金属メッシュ７１の全体でも精米が行われるため、精米効率を向上させることができるとともに、吸音機能を有する吸音機能付きカバー７０により外部への音の漏れを低減することができ、更には、米ぬかのまい上がりを防止することができる。
【０１０３】
なお、この実施の形態のものは、吸音機能付きカバー７０の下面に金属メッシュ７１を貼付するものとして説明したが、金属メッシュ７１がないものでも良い。
【０１０４】
（第１０の実施の形態）
図１４は第１０の実施の形態の精米器であり、その米発散防止壁は、精米機能付きカバーを示す。また、この実施の形態のものは、精米籠７に水平な段部を設けずに玄米Ｒ上に直接精米機能付きカバー５０を載置するものである。なお、第１の実施の形態のものと同じものは同じ符号で示す。それらの詳細な説明については省略し、特徴のある箇所について以下に説明する。
【０１０５】
精米籠７は、その上端部の外向き鍔部７ａ、上面から下面に亘って形成される金網部７ｂ及びその底面部の金属円板部７ｃからなり、ぬか受け容器６への載置等は第１の実施の形態のものと同じである。
【０１０６】
精米機能付きカバー５０は図１０の第６の実施の形態のものと同じである。即ち、精米機能付きカバー５０は、樹脂製で、中央部のボス部５０ａ、該ボス部５０ａから外周に水平に広がる円板部５０ｂを有し、それらは一体成形されている。更に、円板部５０ｂの下面には精米効率を向上させるための凹凸部５０ｃが形成されている。
【０１０７】
この凹凸部５０ｃは、図４及び図５に示すものと同様なものであり、その精米機能付きカバー５０の底面には、図４及び図５に示すように、断面三角形状の多数の凹凸部５０ｃが形成されている。
【０１０８】
そして、精米機能付きカバー５０の底面に多数の凹凸部５０ｃを形成することにより、飛び散った玄米Ｒはこの断面三角形状の凹凸部５０ｃに衝突して精米が行われるため、それだけ精米が行われる面積が増大し精米時間が短縮され、且つ精米時間が短縮された分、米の温度上昇が抑えられる。
【０１０９】
なお、精米機能付きカバー５０の底面の多数の凹凸部５０ｃは、断面三角形状のものだけではなく精米機能を有するものであればどのような形状のものでも良い。また、多数の凹凸部５０ｃを形成する代わりに、ブラシ等を設けるものでも良い。
【０１１０】
そしてこの実施の形態の特徴は、図に示すように、精米機能付きカバー５０の円板部５０ｂを玄米Ｒ上に載置して用いるものである。その結果、精米用羽根１１の回動開始時には玄米Ｒの攪拌に多少の抵抗はあるが、回動後には精米機能付きカバー５０が持ち上げられ、玄米Ｒに対して常時所定の力を付与するため、玄米Ｒが大きく飛び散ることが防止される。また、円板部５０ｂの下面の凹凸部５０ｃによっても精米が行われるため、精米効率を向上させることができるとともに、精米機能付きカバー５０を用いることにより外部への音の漏れを低減することができ、更には、米ぬかのまい上がりを防止することができる。
【０１１１】
なお、精米機能付きカバー５０は、水平な樹脂板のものとして説明したが、第１の実施の形態のものと同じものでも良い。
【０１１２】
（第１１の実施の形態）
図１５は第１１の実施の形態の精米器であり、その米発散防止壁は、精米機能付きカバーを示す。また、この実施の形態のものは、精米籠７に水平な段部を設けずに玄米Ｒ上に直接米ぬか精米機能付きカバー６０を載置するものである。なお、第１の実施の形態のものと同じものは同じ符号で示す。それらの詳細な説明については省略し、特徴のある箇所について以下に説明する。
【０１１３】
精米籠７は、その上端部の外向き鍔部７ａ、上面から下面に亘って形成される金網部７ｂ及びその底面部の金属円板部７ｃからなり、ぬか受け容器６への載置等は第１の実施の形態のものと同じである。
【０１１４】
精米機能付きカバー６０は図１２の第８の実施の形態のものと同じである。即ち、精米機能付きカバー６０は、金属メッシュから形成され、中央部のボス部６０ａ、該ボス部６０ａから外周に水平に広がる円板部６０ｂからなりそれらは一体成形されている。
【０１１５】
精米機能付きカバー６０により、飛び散った玄米Ｒはこの精米機能付きカバー６０に衝突して精米が行われるため、それだけ精米が行われる面積が増大し精米時間が短縮され、且つ精米時間が短縮された分、米の温度上昇が抑えられる。
【０１１６】
そしてこの実施の形態の特徴は、図に示すように、精米機能付きカバー６０の円板部６０ｂを玄米Ｒ上に載置して用いるものである。その結果、精米用羽根１１の回動開始時には玄米Ｒの攪拌に多少の抵抗はあるが、回動後には精米機能付きカバー６０が持ち上げられ、玄米Ｒに対して常時所定の力を付与するため、玄米Ｒが大きく飛び散ることが防止される。また、金属メッシュから形成される円板部６０ｂの下面全体でも精米が行われるため、精米効率を向上させることができる。
【０１１７】
（第１２の実施の形態）
図１６は第１２の実施の形態の精米器であり、その米発散防止壁は、吸音機能付きカバーを示す。また、この実施の形態のものは、精米籠７に水平な段部を設けずに玄米Ｒ上に直接吸音機能付きカバー７０を載置するとともに、吸音機能付きカバー７０をゴム等の吸音板で形成し、この吸音板の下面に金属メッシュを貼付するものである。なお、第１の実施の形態のものと同じものは同じ符号で示す。それらの詳細な説明については省略し、特徴のある箇所について以下に説明する。
【０１１８】
精米籠７は、その上端部の外向き鍔部７ａ、上面から下面に亘って形成される金網部７ｂ及びその底面部の金属円板部７ｃからなり、ぬか受け容器６への載置等は第１の実施の形態のものと同じである。
【０１１９】
吸音機能付きカバー７０は図１３の第９の実施の形態のものと同じである。即ち、吸音機能付きカバー７０は、吸音機能を有するゴム等の部材からなり、中央部のボス部７０ａ、該ボス部７０ａから外周に水平に広がる円板部７０ｂを有し、それらは一体成形されている。更に、円板部７０ｂの下面には精米効率を向上させるための金属メッシュ７１が貼付されている。
【０１２０】
ところで、精米部Ａでは羽根１３により玄米Ｒが攪拌され、飛び散った玄米Ｒは精米籠７等に衝突するためどうしても音が発生し、その音は、外蓋１４を通して外部に放出されるところ、その精米部Ａの上方には吸音機能付きカバー７０が配設されるため、音が外部に放出される量が低減される。即ち、吸音機能付きカバー７０を配設することにより精米音を低減することができる。
【０１２１】
そしてこの実施の形態の特徴は、図に示すように、吸音機能付きカバー７０の円板部７０ｂを玄米Ｒ上に載置して用いるものである。その結果、精米用羽根１１の回動開始時には玄米Ｒの攪拌に多少の抵抗はあるが、回動後では玄米Ｒが大きく飛び散ることが防止できる。そして円板部７０ｂの下面に貼付される金属メッシュ７１の全体でも精米が行われるため、精米効率を向上させることができるとともに、吸音機能を有するゴム等の部材により外部への音の漏れを低減することができ、更には、米ぬかのまい上がりを防止することができる。
【０１２２】
なお、この実施の形態のものは、吸音機能付きカバー７０の下面に金属メッシュ７１を貼付するものとして説明したが、金属メッシュ７１がないものでも良い。
【０１２３】
本願発明は、上記実施例の構成に限定されるものではなく、発明の要旨を逸脱しない範囲において適宜設計変更可能であることは勿論である。
【０１２４】
【発明の効果】
請求項１に係る発明では、玄米と外蓋との間に米発散防止壁を設けることにより、精米籠の上部空間を浮遊するぬかは、米発散防止壁の上面に落ちそのほとんどが捕捉され、その上面に溜めることができるため、米ぬかのない米を容易に得ることができる。また、精米用羽根の回転時、米発散防止壁の底面に米が当たりその飛び散りを極力抑え、米と精米籠との接触時間を長くすることができるため、精米効率を更に向上することができる。その結果、美味しい米を得ることができる。
【０１２５】
請求項２に係る発明では、米発散防止壁を精米時に舞い上がった米ぬかを受けて溜める米ぬか逆流防止カバーにすることにより、請求項１に係る発明の効果同様、精米籠の上部空間を浮遊するぬかは、米ぬか逆流防止カバーの上面に落ちそのほとんどが捕捉され、その上面に溜めることができるため、米ぬかのない米を容易に得ることができる。また、精米用羽根の回転時、米ぬか逆流防止カバーの底面に米が当たりその飛び散りを極力抑え、米と精米籠との接触時間を長くすることができるため、精米効率を向上することができる。その結果、美味しい米を得ることができる。
【０１２６】
請求項３に係る発明では、米ぬか逆流防止カバーの端部を上方に屈曲させることにより、請求項１、２に係る発明の効果に加え、米ぬか逆流防止カバーの上面に落下したぬかをその上面でより確実に捕捉することができるとともに、捕捉後に再度ぬかが上面よりこぼれ落ちることが防止され、より精米効率の高い米を得ることができる。また、精米籠の側面より逆流してくるぬかを遮ることができ、ぬかの浮遊量を低減することができる。
【０１２７】
請求項４に係る発明では、米ぬか逆流防止カバーの底面に凹凸を形成することにより、請求項１ないし３に係る発明の効果に加え、その凹凸面に当たる米は該凹凸面でも精米加工が行われるため、全体の精米効率をより向上させることができるとともに、精米時間を短縮することができ、その結果、高温米の発生が防止できるとともに、それだけ省エネに資することができる。
【０１２８】
請求項５に係る発明では、米ぬか逆流防止カバーを、非可動時には米との間に隙間を設け可動時には米と接触させることにより、請求項１ないし４に係る発明の効果に加え、精米用羽根の回動開始時には米の攪拌を滑らかにすることができ、回動後では米が大きく飛び散ることを防止できるため、精米効率を更により向上させることができる。
【０１２９】
請求項６に係る発明では、米発散防止壁を精米時に精米機能を有する精米機能付きカバーにすることにより、請求項１に係る発明の効果に加え、カバー自体でも精米を行うことができるため、精米効率をより向上することができる。
【０１３０】
請求項７に係る発明では、精米機能付きカバーの底面に凹凸を形成することにより、請求項１に係る発明の効果に加え、精米機能付きカバー自体でも精米を行うことができるため、精米効率をより向上することができる。
【０１３１】
請求項８に係る発明では、精米機能付きカバーの底面にメッシュ部材を貼付することにより、請求項１に係る発明の効果に加え、メッシュ部材でも精米を行うことができるため、精米効率をより向上することができる。
【０１３２】
請求項９に係る発明では、精米機能付きカバーをメッシュ製にすることにより、請求項１に係る発明の効果に加え、メッシュ部材でも精米を行うことができるため、精米効率をより向上することができる。また、カバーと精米機能部材とは一体のため容易に作成することができる。
【０１３３】
請求項１０に係る発明では、米発散防止壁を精米時に吸音機能を有する吸音機能付きカバーにすることにより、請求項１に係る発明の効果に加え、使用時の音を静音することができ、外部への漏れ音を低減することができる。
【０１３４】
請求項１１に係る発明では、吸音機能付きカバーをゴム製にすることにより、請求項１に係る発明の効果に加え、使用時の音を静音することができ、外部への漏れ音を低減することができる。
【０１３５】
請求項１２に係る発明では、吸音機能付きカバーの底面に凹凸を形成することにより、請求項１、１０、１１に係る発明の効果に加え、使用時の音を静音することができ、外部への漏れ音を低減することができる。
【０１３６】
請求項１３に係る発明では、吸音機能付きカバーの底面にメッシュ部材を貼付することにより、請求項１、１０、１１に係る発明の効果に加え、使用時の音を静音することができ、外部への漏れ音を低減することができる。
【図面の簡単な説明】
【図１】本願発明の精米器の断面図。
【図２】本願発明の逆流防止カバーの平面図。
【図３】本願発明の逆流防止カバーの断面図。
【図４】本願発明の逆流防止カバーの底面図。
【図５】図４のＡ−Ａ線断面図。
【図６】本願発明の他の逆流防止カバーの断面図。
【図７】本願発明の更に他の逆流防止カバーの断面図。
【図８】本願発明の更に他の逆流防止カバーの断面図。
【図９】本願発明の更に他の逆流防止カバーを設けた精米器の断面図。
【図１０】本願発明の更に他の逆流防止カバーの断面図。
【図１１】本願発明の更に他の逆流防止カバーの断面図。
【図１２】本願発明の更に他の逆流防止カバーの断面図。
【図１３】本願発明の更に他の逆流防止カバーの断面図。
【図１４】本願発明の更に他の逆流防止カバーの断面図。
【図１５】本願発明の更に他の逆流防止カバーの断面図。
【図１６】本願発明の更に他の逆流防止カバーの断面図。
【図１７】従来の精米器の断面図。
【符号の説明】
１…精米器本体          ２…上部ケース
３…下部ケース          ３ａ…支持脚
４…胴部ケース          ５…内装ケース
５ａ…開口              ６…ぬか受け容器
６ａ…筒状突出部        ７…精米籠
７ａ…外向き鍔部        ７ｂ…金網部
７ｃ…金属円板部        ７ｄ…段部
８…軸受けカバー        ９…回転軸
９ａ…上部軸            ９ｂ…下部軸
１０…従動側クラッチ    １１…精米用羽根
１２…回転体            １２ａ…垂直部
１２ｂ…湾曲部          １２ｃ…鍔部
１２ｄ…円筒部          １２ｅ…円筒溝
１３…羽根              １４…外蓋
１４ａ…ネジ孔          １５…支持台
１６…モータ            １７…駆動側クラッチ
１８…回転軸            １９…軸受けカバー
２０…駆動側プーリ      ２１…モータ冷却用羽根車
２２…従動側プーリ      ２３…ベルト
２４…空気吸い込み孔    ３０…米ぬか逆流防止カバー
３０ａ…ボス部          ３０ｂ…傾斜円板部
３０ｃ…上方屈曲部      ３０ｄ…外ネジ
３０ｅ…つまみ          ３０ｆ…ビス
３１…水平環状部        ３２…補強用リブ
３３，４０…中空孔      ３４…上面
３５…底面              ３６…貯留空間
３７…凹凸部            ４１…蒸気逃がし孔
４２…米粒落とし孔      ５０、６０…精米機能付きカバー
７０…吸音機能付きカバー  Ａ…精米部
Ｂ…駆動部                Ｒ…玄米
【図１】
2004237192.tif 000003
【図２】
2004237192.tif 000004
【図３】
2004237192.tif 000005
【図４】
2004237192.tif 000006
【図５】
2004237192.tif 000007
【図６】
2004237192.tif 000008
【図７】
2004237192.tif 000009
【図８】
2004237192.tif 000010
【図９】
2004237192.tif 000011
【図１０】
2004237192.tif 000012
【図１１】
2004237192.tif 000013
【図１２】
2004237192.tif 000014
【図１３】
2004237192.tif 000015
【図１４】
2004237192.tif 000016
【図１５】
2004237192.tif 000017
【図１６】
2004237192.tif 000018
【図１７】
2004237192.tif 000019